(57)【特許請求の範囲】
【請求項１】
非通気性シート製の包装袋（１）内に少枚数からなる複数枚の紙おむつ（２）を収容してなる携帯用紙おむつ包装体であって、
前記複数枚の紙おむつ（２）は透明フイルムからなる単一の包装材（３）で一体包装した状態で前記包装袋（１）内に収容し、
前記包装袋（１）は正立位置で自立姿勢を維持する底面積を持つ袋であり、
該包装袋（１）の開口部（１０）における包装袋（１）の上端より所定長さだけ低位置に再封止できるジッパー（１５）を設け、
前記包装袋（１）におけるジッパー（１５）より上部の表裏各上部シート部（１１ａ，１１ａ）を非接着状態で開放し、
前記包装袋（１）の上部寄りの一部の範囲に内部を透視できる透明部（１８）を設けている、
ことを特徴とする携帯用紙おむつ包装体。
【請求項２】
請求項１において、包装袋（１）におけるジッパー（１５）部分より上部位置に取手穴（１６）を形成していることを特徴とする携帯用紙おむつ包装体。
【発明の詳細な説明】
【０００１】
【発明の属する技術分野】
【０００２】
本願発明は、少枚数からなる複数枚（例えば２〜５枚程度）の紙おむつを１つの包装袋内に収容してなる携帯用紙おむつ包装体に関するものである。
【従来の技術】
【０００３】
近年、乳幼児を育児する家庭では、紙おむつは必需品になっている。そして、紙おむつは、比較的頻繁に取り替える必要がある（消費量が多い）ことから、１パッケージにかなり多数枚（例えば３０〜５０枚）の紙おむつを収容した状態で市販されている。
【０００４】
ところで、乳幼児を連れて長時間外出するときには、外出時間に応じて適宜少枚数の紙おむつを携帯することが多いが、その場合、一般に家庭でストックしているパッケージの中から必要枚数（例えば１〜５枚程度）の紙おむつを取り出し、適当な袋に入れて携帯する場合が多い。そして、使用済みの汚れた紙おむつは、別の収納袋（ゴミ袋等）に入れて持ち帰っているのが現状である。
【０００５】
近年、紙おむつ包装体として、例えば図３に示すように、少枚数の紙おむつ２（図示例では３枚）を１パッケージにした携帯用のものも市販されている。この図３に示す従来の携帯用紙おむつ包装体は、少枚数（３枚）の紙おむつ２を単一の包装袋１Ａ内に収納したものであり、店頭では横長姿勢で複数個積み重ねて陳列される。
【０００６】
又、図３の携帯用紙おむつ包装体では、使用する際に包装袋１Ａの開口部を開封して内部の紙おむつ２を取り出すが、開口部を一度開封してしまうと、再封止できない構造となっている。尚、この携帯用紙おむつ包装体を使用した場合も、使用済みの汚れた紙おむつは別の収納袋（ゴミ袋等）に入れて持ち帰る必要がある。
【発明が解決しようとする課題】
【０００７】
ところが、上記した図３の紙おむつ包装体は、携帯用に供するために、少枚数の紙おむつ２を１パッケージとして包装しているだけなので、単なる携帯用（少枚数入り）としての機能以外に付加価値を有しない。例えば、外出時において使用済みの紙おむつは、別の収納袋（ゴミ袋等）に入れて持ち帰る必要があるが、該収納袋の開口部を密封していないと、汚れた紙おむつからの悪臭が漏れるという問題があるほか、外出時には特別に汚物入れ（使用済み紙おむつ入れ）用の収納袋を持参する必要があるが、上記した従来（図３）の携帯用紙おむつ包装体の包装袋１Ａには、使用済み紙おむつを密封収容する機能はない。
【０００８】
又、図３に示す従来の携帯用紙おむつ包装体では、店頭陳列時に、単に横向き姿勢で積み重ねられることが多いが、その場合、陳列状態での見栄えが良いとはいえない（他の同種商品との差別化ができない）。
【０００９】
そこで、本願発明は、紙おむつの包装袋を使用済み汚物の収納袋として有効利用し得るとともに、販売時の陳列状態で他の同種商品との差別化（優位化）を達成し得るようにした携帯用紙おむつ包装体を提供することを目的としている。
【課題を解決するための手段】
【００１０】
本願発明は、上記課題を解決するための手段として次の構成を有している。
【００１１】
［本願請求項１の発明］
本願請求項１の発明は、包装袋内に少枚数からなる複数枚の紙おむつを収容してなる携帯用紙おむつ包装体を対象にしている。
【００１２】
包装袋は、合成樹脂シートのような非通気性シート製であり、所定複数枚（２〜５枚）の紙おむつを収容し得る大きさを有している。
【００１３】
上記複数枚の紙おむつは、透明フイルムからなる単一の包装材で一体包装した状態で包装袋内に収容している。このように複数枚の紙おむつを単一の包装材で一体包装しておくと、該複数枚の紙おむつを包装袋内に収容する際に作業がし易くなる。
【００１４】
又、この包装袋は、いわゆるスタンディングパウチと称される自立できる袋が採用されている。即ち、この包装袋は、正立位置で自立姿勢を維持する底面積を有しており、陳列棚上に自立姿勢で陳列できるようになっている。尚、この包装袋は、店頭陳列時における占有床面積をできるだけ小さくするために、縦長姿勢で自立させるようにするとよい。
【００１５】
包装袋の開口部は、自立姿勢における上部側に形成されている。そして、この袋開口部には、包装袋の上端より所定長さ（例えば４０〜６０mm程度）だけ低位置に再封止できるジッパーを設けている。このジッパーは、袋開口部付近の表裏各側面シートの各内面に、開口部全幅に亘って相互に筋状に凹凸嵌合する一組のジッパー片を取付けて構成している。尚、このジッパーは、袋開口部の両シート部分を開くことによって分離・開放させることができるとともに、袋開口部の両シート部分を接合させた状態でその各外面から挟圧することで封止させることができる。
【００１６】
包装袋におけるジッパーより上部の表裏各上部シート部は、非接着状態で開放できるようになっている。
【００１７】
この種の一般的な包装袋では、袋開口部の先端（上端）が熱シールされていて、袋開口部を開放させるのに該熱シール部分を切除する必要があったが、このように、ジッパーより上の部分を非接着状態にしておくと、袋開口部を開放させるのに上端部を切除しなくて済む。
【００１８】
包装袋の上部寄りの一部の範囲には、内部を透視できる透明部を設けている。この透明部を包装袋の上部寄りの一部の範囲に設けた理由は、商品販売時に消費者が内部の紙おむつの内容（品質、色、形状、構造等）を確認し得るようにするとともに、使用済みの汚れた紙おむつを包装袋内に収容したときに、汚れ部分が広範囲に見えないようにするためである。尚、包装袋内に収容される紙おむつは包装材で一体包装されているが、この包装材は透明フイルムなので、包装袋の上記透明部から内部の紙おむつを透視できる。
【００１９】
この請求項１の携帯用紙おむつ包装体は、包装袋内に所定複数数の紙おむつを収容し、ジッパーにより袋開口部を封止した状態で出荷される。又、店頭にはこの携帯用紙おむつ包装体を１個づつ自立させた姿勢で陳列する。このように、紙おむつ包装体を自立姿勢で陳列すると、例えば図３に示すような他の同種商品を陳列する場合の陳列姿勢に比して、見栄えが良くなる（目に付き易い）。尚、この携帯用紙おむつ包装体は、棚上に自立姿勢で陳列するほかに、例えば包装袋の上部寄り位置に吊下げ用の小穴を形成しておき、該小穴を陳列用フックに引っ掛けて陳列することもできる。
【００２０】
本願の紙おむつ包装体は、主として携帯用として購入され、多くの場合、外出先で使用されるものである。そして、乳幼児に装着させていた紙おむつを新しいものと取り替えるときに、包装袋のジッパーを開放して袋開口部から内部の紙おむつを包装材ごと全部取出し、その１枚を乳幼児に装着替えさせる。他方、使用済みの汚れた紙おむつは、空になった包装袋内に収容して、その開口部をジッパーで密封する。
【００２１】
このように、汚れた紙おむつを包装袋内に封入すると、汚物からの臭気（悪臭）が外部に漏れることがないので、衛生的であり、且つ家に持ち帰るまで周囲に気遣いしなくて済む。尚、紙おむつを複数枚収容したものにおいて、包装袋から取り出した残りの紙おむつ（新品）はきれいなままであるので、そのまま適宜の場所（例えば手提げバッグ内）に収容・保管しておくことができる。
【００２２】
［本願請求項２の発明］
本願請求項２の発明は、上記請求項１の携帯用紙おむつ包装体において、包装袋におけるジッパー部分より上部位置に取手穴を形成している。
【００２３】
取手穴は、シートを打抜いて形成しているが、この取手穴はジッパー部分より上側に形成されているので、包装袋内の密閉機能には何ら影響しない。
【００２４】
そして、この請求項２の紙おむつ包装体では、取手穴に手指を差し込んで持ち運ぶことができる。
【００２５】
又、この請求項２の紙おむつ包装体では、取手穴を利用して、陳列用フックに引っ掛けて陳列することができる。
【発明の効果】
【００２６】
本願各発明の携帯用紙おむつ包装体は、それぞれ次のような効果がある。
【００２７】
［本願請求項１の発明の効果］
請求項１の携帯用紙おむつ包装体では、次のような効果がある。
【００２８】
(1) 包装袋が自立できる袋であるので、店頭には１個づつ自立姿勢で陳列され、従って、他の同種商品の陳列姿勢に比して、見栄えがよくなる（差別化できる）。
(2) 外出先において、乳幼児に紙おむつを着せ替える際に、使用済みの汚れた紙おむつを空の包装袋内に収容して、袋開口部をジッパーで密封することができるので、この包装袋を使用済み紙おむつの収納袋として利用できるとともに、使用済み紙おむつから臭気が漏れない状態で持ち帰ることができる。
【００２９】
(3) 包装袋内に収容される複数枚の紙おむつが透明フイルムからなる単一の包装材で一体包装されているので、該複数枚の紙おむつを包装袋内に収容する際の作業が容易になる。尚、紙おむつを包装している包装材は透明フイルムなので、該包装材の外側から内部の紙おむつを透視できる。
【００３０】
(4) 包装袋におけるジッパーより上部の表裏各上部シート部が非接着状態で開放されるので、袋開口部を開放させるのに袋上端部を切除する必要がないとともに、袋開口部を開放する際に該各上部シート部が摘まみ易くなる。
【００３１】
(5) 包装袋の上部寄りの一部の範囲に内部を透視できる透明部を設けているので、店頭陳列状態で消費者が内部の紙おむつの内容を該透明部から確認し得るとともに、使用済みの汚れた紙おむつを収容したときに、汚れ部分を極力見えなくできる。
【００３２】
［本願請求項２の発明の効果］
本願請求項２では、上記請求項１の携帯用紙おむつ包装体において、包装袋におけるジッパー部分より上部位置に取手穴を形成している。
【００３３】
従って、この請求項２のものでは、上記請求項１の効果に加えて、取手穴があることにより持ち運びがし易くなるという効果がある。
【００３４】
又、この請求項２の紙おむつ包装体では、取手穴を利用して、陳列用フックに引っ掛けて陳列することができ、陳列形態の多様化を図ることができるという効果もある。
【発明の実施の形態】
【００３５】
図１及び図２を参照して、本願実施形態の携帯用紙おむつ包装体を説明すると、この実施形態の携帯用紙おむつ包装体は、包装袋１内に複数枚（この実施形態では３枚）の紙おむつ２を収納して構成されている。
【００３６】
包装袋１は、例えばポリエチレン樹脂シートのような非通気性シート製であり、図示例では３枚の紙おむつ２を収容し得る大きさ（例えば縦長さが３２０mm、横長さが２００mm程度の大きさ）を有している。尚、この包装袋１の樹脂シートは、厚さが５０〜１００ミクロン程度の比較的強靭なものを使用するとよい。
【００３７】
又、この包装袋１は、表裏の各側面シート１１，１１と底面シート１２（図２）とで、いわゆるスタンディングパウチと称される自立できる形態に形成されている。即ち、この包装袋１は、底面シート１２の周辺部と各側面シート１１，１１の下端部、及び各側面シート１１，１１の側縁部同士をそれぞれ熱シールして袋状に成形している。そして、この包装袋１の底部１４は、底面シート１２を広げるとかなりの底面積を有しており、それによって包装袋１が自立できるようになっている。
【００３８】
包装袋１の開口部１０は、自立姿勢における上部側に形成されている。又、この袋開口部１０には、再封止できるジッパー１５を設けている。このジッパー１５は、袋上端より所定小高さ（例えば４０〜６０mm程度）だけ低位置において、表裏各側面シート１１，１１の各内面に一組のジッパー片を取付けて構成している。尚、このジッパー１５の各ジッパー片は、開口部全幅に亘って相互に筋状に凹凸嵌合するものである。そして、このジッパー１５は、繰り返して開放・封止させ得るようになっている。
【００３９】
包装袋１内に収容される紙おむつ２は、この実施形態では３枚を重ねた状態で単一の包装材３で一体包装している。このように複数枚の紙おむつ２，２，２を単一の包装材３で一体包装しておくと、該複数枚（３枚）の紙おむつ２，２，２を包装袋１内に収容する際の作業がし易くなる。包装材３には、透明フイルムが使用されており、包装材３で包装している紙おむつ２が外部から透視し得るようになっている。
【００４０】
この包装袋１には、ジッパー１５部分より上部位置に取手穴１６を形成している。この取手穴１６は、表裏各側面シートの上部シート部１１ａ，１１ａを打抜いて形成している。尚、この取手穴１６は、ジッパー１５部分より上側に形成されているので、包装袋１内の密閉機能には何ら影響しない。そして、この紙おむつ包装体では、取手穴１６に手指を差し込んで持ち運ぶことができる。
【００４１】
包装袋１におけるジッパー１５より上部の表裏各上部シート部１１ａ，１１ａは、非接着状態で開放できるようにしている。即ち、包装袋１の開口部１０は、ジッパー１５部分のみで封止されている。尚、このように、ジッパー１５より上の部分を非接着状態にしておくと、袋開口部１０を開放させるのに該ジッパー１５を開くだけでよい。又、開封するのに袋上端部を切除しなくてよいので、ジッパー１５上部の取手穴１６に破断等の悪影響が出ない。又、このように袋上端部を切除しなくてよいと、ジッパー１５より上部の表裏各上部シート部１１ａ，１１ａがそのままの高さだけ残っており、袋開口部１０を開放する際に該各上部シート部１１ａ，１１ａが摘まみ易くなる。
【００４２】
包装袋１の上部寄りの一部の範囲には、内部を透視できる透明部１８（図１）を設けている。尚、図１において梨地部分（符号１８で示す透明部以外の部分）は、印刷によって内部が透視できない不透明部１７である。
【００４３】
このように、透明部１７を包装袋１の上部寄りの一部の範囲に設けた理由は、販売時において消費者が内部の紙おむつ２の内容（品質、色、形状、構造等）を確認し得るようにするとともに、使用済みの汚れた紙おむつを包装袋１内に収容したときに、汚れ部分が広範囲に見えないようにするためである。
【００４４】
この実施形態の携帯用紙おむつ包装体は、複数枚（図示例では３枚）の紙おむつ２，２，２を包装材３で被包した状態で包装袋１内に収容し、ジッパー１５により袋開口部１０を封止した状態で出荷される。そして、店頭には、この紙おむつ包装体を１個づつ自立姿勢で陳列する。このように、紙おむつ包装体を自立姿勢で陳列すると、他の同種商品の陳列姿勢に比して、見栄えが良くなる（差別化できる）。尚、他の陳列形態として、取手穴１６を利用して、陳列用フックに引っ掛けて陳列することもできる。
【００４５】
この実施形態の紙おむつ包装体は、主として携帯用として購入され、外出先で使用されるものである。そして、乳幼児に装着させていた紙おむつを新しいものと取り替えるときに、包装袋１のジッパー１５を開放して表裏の各側面シート１１，１１を開き（図２の符号１１′）、袋開口部１０から内部の紙おむつ２を包装材３ごと取出し、包装材３を破いて１枚の紙おむつ２を取出す。そして、その紙おむつ２を乳幼児に装着替えさせるとともに、使用済みの汚れた紙おむつを空になった包装袋１内に収容して、その開口部１０をジッパー１５で密封する。
【００４６】
このように、汚れた紙おむつを包装袋１内に封入すると、汚物からの臭気（悪臭）が外部に漏れることがないので、衛生的であり、且つ家に持ち帰るまで周囲に気遣いしなくて済む。尚、包装袋１から取り出した残りの紙おむつ（新品）は、きれいなままであるので、そのまま適宜の場所（例えば手提げバッグ内）に収容・保管しておくことができる。
【図面の簡単な説明】
【図１】  本願実施形態の携帯用紙おむつ包装体の斜視図である。
【図２】  図１の中央部縦断面図である。
【図３】  従来の携帯用紙おむつ包装体の断面図である。
【符号の説明】
１は包装袋、２は紙おむつ、３は包装材、１０は開口部、１５はジッパー、１６は取手穴、１８は透明部である。
【図１】
0004067457.tif 000002
【図２】
0004067457.tif 000003
【図３】
0004067457.tif 000004